(57)【要約】  【課題】  被測定機器の信号波形を測定できるオシロスコープ機能も有する光ディスク記録再生装置を提供する。  【解決手段】  オシロスコープモードに設定されると、被測定機器からの被測定信号がプローブを介して入力され、Ａ／Ｄ変換回路でデジタル被測定データに変換され、このデジタル被測定データは、ディスプレイ装置に波形として表示可能な波形表示信号に変換処理される。これにより、ディスプレイ装置のオシロスコープ画面上に被測定信号の波形が表示される。そして、オシロスコープ画面上の例えば時間軸レンジを変更したい場合、操作手段のキー操作に応答して、時間軸レンジが変更される。この結果、変更された時間軸レンジで、オシロスコープ画面上に被測定信号の波形が表示される。このように、オシロスコープを用意しなくても、被測定機器の信号波形を測定することが可能になる。【選択図】      図５
2006300675.tif 000002
【特許請求の範囲】
【請求項１】
光ディスクに対して情報の記録／再生を行う光ディスク記録再生装置において、被測定
対象の被測定信号を取り出すプローブと、このプローブで導いた被測定信号を入力してデ
ジタル被測定データに変換するＡ／Ｄ変換回路と、このＡ／Ｄ変換回路からのデジタル被
測定データを格納する被測定データ格納用バッファメモリと、この被測定データ格納用バ
ッファメモリからデジタル被測定データを読み出してディスプレイ装置に波形として表示
可能な波形表示信号に変換処理する波形表示変換処理回路とを備え、更に、操作手段から
のキー操作によりオシロスコープモードに設定されたか否かを判定するモード判定手段、
前記オシロスコープモードに設定されたことを前記モード判定手段により判定された時に
前記プローブからの被測定信号を前記Ａ／Ｄ変換回路に入力可能にする被測定信号入力可
能手段、および前記ディスプレイ装置に表示されるオシロスコープ画面上の時間軸レンジ
と電圧軸レンジを前記操作手段からのキー操作により設定または変更を行うレンジ設定変
更手段を有するシステムコントローラを備えることにより、オシロスコープ機能を持たせ
たことを特徴とする光ディスク記録再生装置。
【請求項２】
光ディスクに対して情報の記録／再生を行う光ディスク記録再生装置において、被測定
対象の被測定信号を取り出すプローブで導いた被測定信号を入力して、波形として表示可
能な波形表示信号に変換処理し、この波形表示信号によりディスプレイ装置に前記被測定
信号の波形を表示させる波形表示処理部と、操作手段のキー操作に応答して、前記ディス
プレイ装置に表示されるオシロスコープ画面上のレンジの設定または変更を行う手段を含
むシステムコントローラとを備えることにより、オシロスコープ機能を持たせたことを特
徴とする光ディスク記録再生装置。
【請求項３】
前記波形表示処理部は、プローブで導いた被測定信号を入力してデジタル被測定データ
に変換するＡ／Ｄ変換回路と、このＡ／Ｄ変換回路からのデジタル被測定データを格納す
る被測定データ格納用バッファメモリと、この被測定データ格納用バッファメモリからデ
ジタル被測定データを読み出してディスプレイ装置に波形として表示可能な波形表示信号
に変換処理する波形表示変換処理回路とを備えたことを特徴とする請求項２に記載の光デ
ィスク記録再生装置。
【請求項４】
操作手段からのキー操作によりオシロスコープモードに設定されたか否かを判定するモ
ード判定手段と、前記オシロスコープモードに設定されたことを前記モード判定手段によ
り判定された時にプローブからの被測定信号をＡ／Ｄ変換回路に入力可能にする被測定信
号入力可能手段、およびディスプレイ装置に表示されるオシロスコープ画面上の時間軸レ
ンジと電圧軸レンジを前記操作手段からのキー操作により設定または変更を行うレンジ設
定変更手段を有するシステムコントローラを備えたことを特徴とする請求項３に記載の光
ディスク記録再生装置。
【発明の詳細な説明】
【技術分野】
【０００１】
本発明は、光ディスクに対して情報の記録／再生を行う光ディスク記録再生装置に関し
、特に、オシロスコープ機能を有する光ディスク記録再生装置に関する。
【背景技術】
【０００２】
近年、光ディスクとして、ＣＤ（コンパクト・ディスク）よりも大量のデータを記録で
きるＤＶＤ（デジタル・バーサタイル・ディスク）が普及している。このようなＤＶＤは
、主に映画などのように大量の映像音声データを記録するのに用いられている。そして、
ＤＶＤに情報を記録したり、ＤＶＤに記録された情報を再生したりするＤＶＤレコーダな
どの光ディスク記録再生装置も普及している。
【０００３】
このような光ディスク記録再生装置は、記録系では、アンテナに接続されるチューナと
、このチューナで選局されたテレビジョン放送のアナログの映像音声信号、あるいはテレ
ビジョン受信機や他の映像音声出力機器からの映像音声信号をデジタルの映像音声データ
に変換する多チャンネルのＡ／Ｄ変換回路と、前記映像音声データをエンコードするエン
コーダと、前記エンコードした映像音声データ（エンコードデータ）を一時的に所定量だ
け格納するバッファメモリと、記録データ変調回路と接続するインターフェースである例
えばＡＴＡＰＩ（AT Attachment Packet Interface）と、このＡＴＡＰＩから送られてき
たエンコードデータを光ディスクに記録するために変調をかける記録データ変調回路と、
この記録データ変調回路により変調された変調データに基づいて光ピックアップから出射
するレーザ光を変調させるためのレーザ変調信号を光ピックアップに出力するレーザ変調
回路とを備えている。
【特許文献１】特開２００４−１２７５１１号公報
【特許文献２】実登３０９２１６３号公報
【発明の開示】
【発明が解決しようとする課題】
【０００４】
このような記録系を有する光ディスク記録再生装置では、チューナーで選局されたテレ
ビジョン放送のアナログの映像音声信号、あるいはテレビジョン受信機や他の映像音声出
力機器からの映像音声信号を入力して、ディスプレイ装置に映像を表示させ、また、スピ
ーカから音声を出力したりしている。
【０００５】
ここで注目すべき点は、光ディスク記録再生装置では、例えば、映像入力端子に映像信
号を入力すれば、その映像信号が所定処理されて、映像がディスプレイ装置に表示される
ようになっているので、信号波形を測定したい被測定対象からの例えば映像信号を入力す
れば、ディスプレイ装置に信号波形を表示するようにできる可能性もあるが、従来からの
光ディスク記録再生装置では、このようなオシロスコープ機能が無いので、信号波形を測
定することができず、オシロスコープを用意しないと、被測定対象の信号波形を測定でき
なかった。また、オシロスコープを用いて信号波形を測定する場合は、オシロスコープは
比較的に高価であるので、ユーザの経済的負担も多くなる。
【０００６】
なお、特許文献１の従来技術は、磁気記録媒体または磁気ヘッドの検査装置であり、被
測定対象の信号波形を計測するオシロスコープ機能を有しているものでない。特許文献２
の従来技術は、ディスク再生装置自体の試験装置であり、この従来技術も、被測定対象の
信号波形を計測するオシロスコープ機能を有しているものでない。
【０００７】
本発明は、上記のような課題を解決するためになされたもので、被測定対象の信号波形
を測定できるオシロスコープ機能も有する光ディスク記録再生装置を提供することを目的
とする。
【課題を解決するための手段】
【０００８】
上記目的を達成するために、請求項１の発明は、光ディスクに対して情報の記録／再生
を行う光ディスク記録再生装置において、被測定対象の被測定信号を取り出すプローブと
、このプローブで導いた被測定信号を入力してデジタル被測定データに変換するＡ／Ｄ変
換回路と、このＡ／Ｄ変換回路からのデジタル被測定データを格納する被測定データ格納
用バッファメモリと、この被測定データ格納用バッファメモリからデジタル被測定データ
を読み出してディスプレイ装置に波形として表示可能な波形表示信号に変換処理する波形
表示変換処理回路とを備え、更に、操作手段からのキー操作によりオシロスコープモード
に設定されたか否かを判定するモード判定手段、前記オシロスコープモードに設定された
ことを前記モード判定手段により判定された時に前記プローブからの被測定信号を前記Ａ
／Ｄ変換回路に入力可能にする被測定信号入力可能手段、および前記ディスプレイ装置に
表示されるオシロスコープ画面上の時間軸レンジと電圧軸レンジを前記操作手段からのキ
ー操作により設定または変更を行うレンジ設定変更手段を有するシステムコントローラを
備えることにより、オシロスコープ機能を持たせたことを特徴とする光ディスク記録再生
装置を提供する。
【０００９】
この構成において、被測定対象から出力される被測定信号の波形を測定するため、被測
定対象と光ディスク記録再生装置とをプローブによって接続し、操作手段のキー操作によ
りオシロスコープモードに設定する。このオシロスコープモードに設定されると、モード
判定手段は、オシロスコープモードに設定されたことを判定し、これにより、被測定信号
入力可能手段は、被測定対象からの被測定信号を入力可能にし、その被測定信号を、プロ
ーブを介して入力し、Ａ／Ｄ変換回路でデジタル被測定データに変換し、このデジタル被
測定データを被測定データ格納用バッファメモリに格納する。これにより、波形表示変換
処理回路は、被測定データ格納用バッファメモリからデジタル被測定データを読み出して
ディスプレイ装置に波形として表示可能な波形表示信号に変換処理する。これにより、デ
ィスプレイ装置には、オシロスコープ画面上に被測定信号の波形が表示される。
【００１０】
そして、オシロスコープ画面上の時間軸レンジを変更したい場合、操作手段のキー操作
に応答して、レンジ設定変更手段は、オシロスコープ画面上の時間軸レンジを変更する。
この結果、変更された時間軸レンジで、オシロスコープ画面上に被測定信号の波形が表示
されることになる。また、オシロスコープ画面上の電圧軸レンジを変更したい場合、操作
手段のキー操作に応答して、レンジ設定変更手段は、オシロスコープ画面上の電圧軸レン
ジを変更する。この結果、変更された電圧軸レンジで、オシロスコープ画面上に被測定信
号の波形が表示されることになる。
【００１１】
この構成によれば、オシロスコープ機能を持たせたので、被測定対象の被測定信号の波
形をディスプレイ装置に表示させることが可能になり、これにより、オシロスコープを用
意しなくても、被測定対象の信号波形を測定することができ、したがって、光ディスク記
録再生装置の汎用性が向上し、簡易の波形計測の用途などには有益になり、規定の波形出
力の確認など、特に映像信号の波形表示に有用となる。また、オシロスコープを用いなく
ても信号波形を測定することができるので、オシロスコープを用意する必要が無くなり、
ユーザの経済的負担が無くなる。
【００１２】
請求項２の発明は、光ディスクに対して情報の記録／再生を行う光ディスク記録再生装
置において、被測定対象の被測定信号を取り出すプローブで導いた被測定信号を入力して
、波形として表示可能な波形表示信号に変換処理し、この波形表示信号によりディスプレ
イ装置に前記被測定信号の波形を表示させる波形表示処理部と、操作手段のキー操作に応
答して、前記ディスプレイ装置に表示されるオシロスコープ画面上のレンジの設定または
変更を行う手段を含むシステムコントローラとを備えることにより、オシロスコープ機能
を持たせたことを特徴とする光ディスク記録再生装置を提供する。
【００１３】
この構成において、被測定対象の被測定信号を取り出すプローブで導いた被測定信号を
入力した波形表示処理部は、その被測定信号を波形として表示可能な波形表示信号に変換
処理し、その波形表示信号によりディスプレイ装置に前記被測定信号の波形を表示させる
。ディスプレイ装置に表示されるオシロスコープ画面上のレンジの設定または変更は、操
作手段のキー操作に応答して行われる。
【００１４】
この構成によれば、オシロスコープ機能を持たせたので、被測定対象の被測定信号の波
形をディスプレイ装置に表示させることが可能になり、これにより、オシロスコープを用
意しなくても、被測定対象の信号波形を測定することができ、したがって、光ディスク記
録再生装置の汎用性が向上し、簡易の波形計測の用途などには有益になり、規定の波形出
力の確認など、特に映像信号の波形表示に有用となる。また、オシロスコープを用いなく
ても信号波形を測定することができるので、オシロスコープを用意する必要が無くなり、
ユーザの経済的負担が無くなる。
【００１５】
請求項３の発明では、請求項２の発明において、前記波形表示処理部は、プローブで導
いた被測定信号を入力してデジタル被測定データに変換するＡ／Ｄ変換回路と、このＡ／
Ｄ変換回路からのデジタル被測定データを格納する被測定データ格納用バッファメモリと
、この被測定データ格納用バッファメモリからデジタル被測定データを読み出してディス
プレイ装置に波形として表示可能な波形表示信号に変換処理する波形表示変換処理回路と
を備えたので、オシロスコープ画面の表示が可能になる。
【００１６】
請求項４の発明では、請求項３の発明において、操作手段からのキー操作によりオシロ
スコープモードに設定されたか否かを判定するモード判定手段と、前記オシロスコープモ
ードに設定されたことを前記モード判定手段により判定された時にプローブからの被測定
信号をＡ／Ｄ変換回路に入力可能にする被測定信号入力可能手段、およびディスプレイ装
置に表示されるオシロスコープ画面上の時間軸レンジと電圧軸レンジを前記操作手段から
のキー操作により設定または変更を行うレンジ設定変更手段を有するシステムコントロー
ラを備えた。
【００１７】
したがって、システムコントローラは、操作手段からのキー操作によりオシロスコープ
モードに設定されたか否かを判定することができ、前記オシロスコープモードに設定され
た時にプローブからの被測定信号をＡ／Ｄ変換回路に入力可能にでき、ディスプレイ装置
に表示されるオシロスコープ画面上の時間軸レンジと電圧軸レンジを操作手段からのキー
操作により設定または変更を行うことができる。
【発明の効果】
【００１８】
以上のように本発明によれば、光ディスクに対して情報の記録／再生を行う光ディスク
記録再生装置において、被測定対象の被測定信号を取り出すプローブと、このプローブで
導いた被測定信号を入力してデジタル被測定データに変換するＡ／Ｄ変換回路と、このＡ
／Ｄ変換回路からのデジタル被測定データを格納する被測定データ格納用バッファメモリ
と、この被測定データ格納用バッファメモリからデジタル被測定データを読み出してディ
スプレイ装置に波形として表示可能な波形表示信号に変換処理する波形表示変換処理回路
とを備え、更に、操作手段からのキー操作によりオシロスコープモードに設定されたか否
かを判定するモード判定手段、前記オシロスコープモードに設定されたことを前記モード
判定手段により判定された時に前記プローブからの被測定信号を前記Ａ／Ｄ変換回路に入
力可能にする被測定信号入力可能手段、および前記ディスプレイ装置に表示されるオシロ
スコープ画面上の時間軸レンジと電圧軸レンジを前記操作手段からのキー操作により設定
または変更を行うレンジ設定変更手段を有するシステムコントローラを備えることにより
、オシロスコープ機能を持たせたので、被測定対象の被測定信号の波形をディスプレイ装
置に表示させることが可能になり、これにより、オシロスコープを用意しなくても、被測
定対象の信号波形を測定することができ、したがって、光ディスク記録再生装置の汎用性
が向上し、簡易の波形計測の用途などには有益になり、規定の波形出力の確認など、特に
映像信号の波形表示に有用となる。また、オシロスコープを用いなくても信号波形を測定
することができるので、オシロスコープを用意する必要が無くなり、ユーザの経済的負担
が無くなる。
【００１９】
また、本発明によれば、光ディスクに対して情報の記録／再生を行う光ディスク記録再
生装置において、被測定対象の被測定信号を取り出すプローブで導いた被測定信号を入力
して、波形として表示可能な波形表示信号に変換処理し、この波形表示信号によりディス
プレイ装置に前記被測定信号の波形を表示させる波形表示処理部と、操作手段のキー操作
に応答して、前記ディスプレイ装置に表示されるオシロスコープ画面上のレンジの設定ま
たは変更を行う手段を含むシステムコントローラとを備えることにより、オシロスコープ
機能を持たせたので、被測定対象の被測定信号の波形をディスプレイ装置に表示させるこ
とが可能になり、これにより、オシロスコープを用意しなくても、被測定対象の信号波形
を測定することができ、したがって、光ディスク記録再生装置の汎用性が向上し、簡易の
波形計測の用途などには有益になり、規定の波形出力の確認など、特に映像信号の波形表
示に有用となる。また、オシロスコープを用いなくても信号波形を測定することができる
ので、オシロスコープを用意する必要が無くなり、ユーザの経済的負担が無くなる。
【発明を実施するための最良の形態】
【００２０】
以下、添付図面を参照しつつ、本発明の実施の形態について説明する。図１は本発明の
一実施形態に係る光ディスク記録再生装置（ＤＶＤレコーダ）の構成を示すブロック図で
ある。
【００２１】
この光ディスク記録再生装置は、光ディスク１を回転させるスピンドルモータ５と、光
ディスク１に対して情報の書き込み／読み出しを光学的に行う光ピックアップ２と、この
光ピックアップ２を光ディスク１の半径方向に移動させるためのスレッド３と、システム
コントローラ２２の指示に応じてスピンドルモータ５およびスレッド３を駆動すると共に
光ピックアップ２に内蔵された対物レンズ（図示せず）を動かすことによりレーザ光の焦
点位置を光ディスク１の記録面に対して垂直方向および水平方向に移動させる制御を行う
サーボ制御部４とを備えている。
【００２２】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２３】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００２４】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００２５】
また、この光ディスク記録再生装置は、システムコントローラ２２に対して、記録指示
を与えるための記録キー、再生指示を与えるための再生キー、記録や再生の停止指示を与
えるための停止キーなど、各種操作キーを有するリモコン２１と、このリモコン２１の操
作キーよりも個数が少ないが、主要な操作キーを有する本体操作部３８と、装置全体を制
御する前記システムコントローラ２２とを備えている。また、この光ディスク記録再生装
置は、装置の各構成要素を制御したり、装置全体を制御したりするためのプログラムやデ
ータが記憶されたフラッシュＲＯＭ２３と、このフラッシュＲＯＭ２３のプログラムやデ
ータに従って演算処理を行いシステムコントローラ２２を制御するＣＰＵ２４と、このＣ
ＰＵ２４の演算処理に必要なデータを一時的に格納するＲＡＭ２７とを備えている。
【００２６】
また、この光ディスク記録再生装置は、アンテナ２８に接続されるチューナ２９と、こ
のチューナ２９で選局されたテレビジョン放送のアナログの映像音声信号、あるいは図示
しないテレビジョン受信機や他の映像音声出力機器からの映像音声信号をデジタルの映像
音声データに変換するＡ／Ｄ変換回路３０と、前記映像音声データをエンコードするエン
コーダ３１と、前記エンコードした映像音声データ（エンコードデータ）を一時的に所定
量だけ格納するバッファメモリ３２と、記録データ変調回路２５と接続するインターフェ
ースである例えばＡＴＡＰＩ（AT Attachment Packet Interface）３３と、このＡＴＡＰ
Ｉ３３から送られてきたエンコードデータを光ディスク１に記録するために変調をかける
記録データ変調回路２５と、この記録データ変調回路２５により変調された変調データに
基づいて光ピックアップ２から出射するレーザ光を変調させるためのレーザ変調信号を光
ピックアップ２に出力するレーザ変調回路２６とを備えている。
【００２７】
更に、この光ディスク記録再生装置は、被測定機器の被測定信号を取り出すプローブ３
４と、このプローブ３４で導いた被測定信号を入力してデジタル被測定データに変換する
Ａ／Ｄ変換回路３０と、このＡ／Ｄ変換回路３０からのデジタル被測定データを格納する
被測定データ格納用バッファメモリ３５と、この被測定データ格納用バッファメモリ３５
からデジタル被測定データを読み出してディスプレイ装置２０に波形として表示可能な波
形表示信号に変換処理する波形表示変換処理回路３６と有する波形表示処理部３７を備え
ている。なお、前記Ａ／Ｄ変換回路３０は、前述したように元々光ディスク記録再生装置
に備えられているものを用いている。
【００２８】
システムコントローラ２２は、本実施形態の特徴とする構成要素として、リモコン２１
または本体操作部３８からのキー操作によりオシロスコープモードに設定されたか否かを
判定するモード判定手段２２１と、前記オシロスコープモードに設定されたことをモード
判定手段２２１により判定された時にプローブからの被測定信号をＡ／Ｄ変換回路３０に
入力可能にする被測定信号入力可能手段２２２と、ディスプレイ装置２０に表示されるオ
シロスコープ画面上の時間軸レンジと電圧軸レンジをリモコン２１または本体操作部３８
からのキー操作により設定または変更を行うレンジ設定変更手段２２３を有する。
【００２９】
図２は本実施形態において被測定機器の出力端子がプローブによって光ディスク記録再
生装置の入力端子に接続されている様子を模式的に示した光ディスク記録再生装置および
被測定機器の斜視図である。図３は本実施形態において被測定機器の出力端子がプローブ
によって光ディスク記録再生装置の入力端子に接続されている様子を模式的に示した光デ
ィスク記録再生装置および被測定機器の側面図である。
【００３０】
図２および図３において、Ａはオシロスコープ機能を有した光ディスク記録再生装置を
示し、Ｂはこの光ディスク記録再生装置Ａにより測定される被測定機器を示す。光ディス
ク記録再生装置Ａの映像出力端子は接続ケーブル（図示せず）を介して例えばテレビジョ
ン受信機の映像入力端子（図示せず）に接続されている。例えば、被測定機器Ｂの映像信
号を光ディスク記録再生装置Ａで測定する場合は、被測定機器Ｂの映像出力端子ｂと光デ
ィスク記録再生装置Ａの映像入力端子ａとをプローブ３４によって接続する。
【００３１】
図４は本実施形態においてディスプレイ装置２０にオシロスコープ画面が表示されてい
る様子を示す図である。図４において、Ｃはディスプレイ装置２０の表示画面を示し、Ｄ
は表示画面Ｃの中のオシロスコープ画面を示す。このオシロスコープ画面Ｄでは、例えば
、時間軸（横軸）レンジが１００μＳｅｃであり、電圧軸（縦軸）レンジが１００ｍＶま
たは２００ｍＶであることを示している。これらのレンジの設定や変更は、リモコン２１
または本体操作部３８の特定のキー操作により行うことができる。
【００３２】
図５は本実施形態においてオシロスコープモードに設定した場合の処理を説明するため
のフローチャートである。このフローチャートおよび図１〜図４を参照してオシロスコー
プモードに設定した場合の処理について説明する。
【００３３】
光ディスク記録再生装置Ａの電源が投入され、光ディスク記録再生装置が立上り、リモ
コン２１や本体操作部３８のキー操作に対する処理が可能状態になる。オシロスコープモ
ードに設定されない場合は（ステップＳ１）、通常のモード（光ディスク記録再生装置Ａ
の本来のモードである入力受付モード等）に設定されたままであるが（ステップＳ２）、
例えば、被測定機器Ｂから出力される映像信号の波形を測定するため、被測定機器Ｂの映
像出力端子ｂと光ディスク記録再生装置Ａの映像入力端子ａとをプローブ３４によって接
続し、リモコン２１の特定キーの操作によりオシロスコープモードに設定される。
【００３４】
リモコン２１の特定キーの操作とは、リモコン２１にオシロスコープモード設定用キー
を設けた場合は、このオシロスコープモード設定用キーの操作のことを言い、あるいはリ
モコン２１の或るキーを操作してディスプレイ装置２０に暗号入力画面を表示させ、オシ
ロスコープモードに設定するための暗号を入力する操作、あるいは２個以上のキー操作の
組み合わせでオシロスコープモードに設定する操作などを言う。なお、本体操作部３８に
オシロスコープモード設定用キーを設けても良く、あるいは本体操作部３８の或るキーを
操作してディスプレイ装置２０に暗号入力画面を表示させ、オシロスコープモードに設定
するための暗号を入力する操作、あるいは本体操作部３８の２個以上のキー操作の組み合
わせでオシロスコープモードに設定する操作などを行っても良い。
【００３５】
このようなキー操作を行い、光ディスク記録再生装置Ａがオシロスコープモードに設定
されると、システムコントローラ２２のモード判定手段２２１は、オシロスコープモード
に設定されたことを判定し（ステップＳ１）、これにより、被測定信号入力可能手段２２
２は、被測定機器Ｂからの被測定信号（この場合は映像信号）を入力可能にし、その被測
定信号を、プローブ３４を介して入力し（ステップＳ３）、Ａ／Ｄ変換回路３０でデジタ
ル被測定データ（デジタルの映像データ）に変換し（ステップＳ４）、このデジタル被測
定データ（デジタルの映像データ）を被測定データ格納用バッファメモリ３５に格納する
（ステップＳ５）。
【００３６】
これにより、波形表示変換処理回路３６は、被測定データ格納用バッファメモリ３５か
らデジタル被測定データ（デジタルの映像データ）を読み出してディスプレイ装置２２に
波形として表示可能な波形表示信号に変換処理し、更に、この波形表示信号に対してＯＳ
Ｄ処理を行う（ステップＳ６）。これにより、ディスプレイ装置２０には、例えば、図４
に示すようなオシロスコープ画面Ｄ上に被測定信号の波形が表示される（ステップＳ７）
。
【００３７】
なお、ここでは、前記波形表示信号をＯＳＤ処理してディスプレイ装置２０に波形表示
させたが、これに限らず、被測定データ格納用バッファメモリ３５から読み出したデジタ
ル被測定データを、ビデオバッファメモリに一旦格納し、このビデオバッファメモリから
読み出した映像データによってディスプレイ装置２０に波形表示しても良い。また、オシ
ロスコープ画面Ｄ上の時間軸レンジと電圧軸レンジの初め設定は、リモコン２１または本
体操作部３８のキー操作に応答して、システムコントローラ２２のレンジ設定変更手段２
２３により設定されているものとする。
【００３８】
そして、測定が終了していなく（ステップＳ８）、オシロスコープ画面Ｄ上の時間軸レ
ンジや電圧軸レンジを変更したい場合、リモコン２１などの特定キー操作により、時間軸
レンジや電圧軸レンジの変更を行う。ここで、リモコン２１により、時間軸レンジの変更
の指令信号がシステムコントローラ２２に入力されると、レンジ設定変更手段２２３は、
リモコン２１からの時間軸レンジ変更指令信号に応答して、レンジ変更があったことを判
定し（ステップＳ９）、更に、そのレンジ変更のうち、時間軸レンジ変更があったことを
判定し（ステップＳ１０）、オシロスコープ画面Ｄ上の時間軸レンジを変更する。この結
果、変更された時間軸レンジで、オシロスコープ画面Ｄ上に被測定信号の波形が表示され
ることになる（ステップＳ１１）。
【００３９】
次に、リモコン２１により、電圧軸レンジの変更の指令信号がシステムコントローラ２
２に入力されると、レンジ設定変更手段２２３は、リモコン２１からの電圧軸レンジ変更
指令信号に応答して、レンジ変更があったことを判定し（ステップＳ９）、更に、そのレ
ンジ変更のうち、電圧軸レンジ変更があったことを判定し（ステップＳ１２）、オシロス
コープ画面Ｄ上の電圧軸レンジを変更する。この結果、変更された電圧軸レンジで、オシ
ロスコープ画面Ｄ上に被測定信号の波形が表示されることになる（ステップＳ１３）。
【００４０】
以上説明したように本実施形態によれば、オシロスコープ機能を持たせたので、被測定
機器の被測定信号の波形をディスプレイ装置に表示させることが可能になり、これにより
、オシロスコープを用意しなくても、被測定機器の信号波形を測定することができ、した
がって、光ディスク記録再生装置の汎用性が向上し、簡易の波形計測の用途などには有益
になり、規定の波形出力の確認など、特に映像信号の波形表示に有用となる。また、オシ
ロスコープを用いなくても信号波形を測定することができるので、オシロスコープを用意
する必要が無くなり、ユーザの経済的負担が無くなる。
【００４１】
なお、本実施形態では、被測定対象としての被測定機器Ｂは、例えばビデオ機器、オー
ディオ機器、テレビジョン受信機、コンピュータ、その他、全ての電気機器の何れかを示
す。また、被測定対象は、それらの電気機器に限らず、商用交流電源の電圧波形や、電池
の電圧なども測定の対象とすることができる。即ち、本発明の光ディスク記録再生装置は
、オシロスコープを用いて測定できる全てのものを被測定対象とすることができる。
【図面の簡単な説明】
【００４２】
【図１】本発明の一実施形態に係る光ディスク記録再生装置の構成を示すブロック図である。
【図２】前記実施形態において被測定機器の出力端子がプローブによって光ディスク記録再生装置の入力端子に接続されている様子を模式的に示した光ディスク記録再生装置および被測定機器の斜視図である。
【図３】前記実施形態において被測定機器の出力端子がプローブによって光ディスク記録再生装置の入力端子に接続されている様子を模式的に示した光ディスク記録再生装置および被測定機器の側面図である。
【図４】前記実施形態においてディスプレイ装置にオシロスコープ画面が表示されている様子を示す図である。
【図５】前記実施形態においてオシロスコープモードに設定した場合の処理を説明するためのフローチャートである。
【符号の説明】
【００４３】
１    光ディスク
２０    ディスプレイ装置
２１    リモコン（操作手段）
２２    システムコントローラ
３０    Ａ／Ｄ変換回路
３４    プローブ
３５    被測定データ格納用バッファメモリ
３６    波形表示変換処理回路
３７    波形表示処理部
３８    本体操作部（操作手段）
２２１    モード判定手段
２２２    被測定信号入力可能手段
２２３    レンジ設定変更手段
Ａ    光ディスク記録再生装置
Ｂ    被測定機器（被測定対象）
Ｄ    オシロスコープ画面
【図１】
2006300675.tif 000003
【図２】
2006300675.tif 000004
【図３】
2006300675.tif 000005
【図４】
2006300675.tif 000006
【図５】
2006300675.tif 000007